(57)【要約】【課題】ホルダーの略全体に十分な磁着力を発揮させ、ホルダーの何処にボールマーカーが磁着しても容易に脱落することのないゴルフ用マーカーセットの提供を図る。【解決手段】ボールマーカー１１と、このボールマーカー１１を磁着する永久磁石３１を有するホルダー１２とのセットである。ホルダー１２には競技者の服装に対する固定部材２１が設けられる。永久磁石３１は複数個が間隔を隔てて配列され、これらの複数個の永久磁石３１の間に磁性体製の磁気通路が形成される。特に、磁性体製の底部２６、縦通路部２７及び蓋体３３によって、永久磁石３１の磁気通路が形成され、良好な磁着力が発揮される。【選択図】          図３
0003152787.tif 000002
【実用新案登録請求の範囲】
【請求項１】
ボールマーカーと、このボールマーカーを磁着する永久磁石を有するホルダーとのセットであり、上記ホルダーに競技者の服装に対する固定部材が設けられ、競技者の服装にホルダーを取り付けて、このホルダーにボールマーカーを着脱可能に磁着させるようにしたゴルフ用マーカーセットにおいて、
上記の永久磁石は複数個が間隔を隔てて配列され、これらの複数個の永久磁石の間に磁性体製の磁気通路が形成されたものであることを特徴とするゴルフ用マーカーセット。
【請求項２】
上記のホルダーが、上記永久磁石の底面を支持する磁性体製の底部と、この底部から上方に伸びると共に上記の磁気通路となる磁性体製の縦通路部と、この縦通路部に設けられた収納凹部とを備え、この収納凹部内に上記の永久磁石が配位され、この永久磁石の上面及び上記縦通路部の上面に接触する磁性体製の蓋体とを備え、
上記底部、上記縦通路部及び上記蓋体が上記永久磁石の磁気通路となるものであることを特徴とする請求項１記載のゴルフ用マーカーセット。
【請求項３】
上記の永久磁石は複数個が間隔を隔てて配列され、この永久磁石の数と上記の収納凹部の数とは等しく、各収納凹部の平面形状及び面積は上記の各永久磁石の平面形状及び面積に実質的に等しいことを特徴とする請求項２記載のゴルフ用マーカーセット。
【請求項４】
上記の磁性体製の底部と、上記の縦通路部とが一体となされたものであり、
前記の固定部材は、平板部と、この平板部から下方に延設された挟持部とが一体となされたものであり、挟持部を弾性変形させて挟持部と平板部との間に服装を挟んで固定するものであり、
上記の平板部の上面と上記の底部の下面とが接合されたものであることを特徴とする請求項３記載のゴルフ用マーカーセット。  
【請求項５】
上記の蓋体が、磁性体製の蓋本体と、この蓋本体の上面に接着されたシールとを備えことを特徴とする請求項４記載のゴルフ用マーカーセット。
【請求項６】
上記の蓋体が、磁性体製の蓋本体を備え、この蓋本体にプレス加工によって凹凸模様が形成されたものであることを特徴とする請求項４記載のゴルフ用マーカーセット。
【請求項７】
上記の縦通路部は、蓋体が載置される上面と、この上面の周囲から上方に延設され縦通路部の外周を規定する周縁部とを備え、この周縁部内に上記蓋体が配位され、この周縁部の内側の蓋体上に透明合成樹脂が流し込まれて、この透明合成樹脂によって蓋体上面が被覆されたものであることを特徴とする請求項５又は６記載のゴルフ用マーカーセット。
【考案の詳細な説明】
【技術分野】
【０００１】
本願考案は、ゴルフ用マーカーセットに関するものである。
【背景技術】
【０００２】
従来より、ボールマーカーと、このボールマーカーを磁着する永久磁石を有するホルダーとを備えたゴルフ用マーカーセットが知られている。このセット、特に、上記ホルダーに競技者の服装に対する固定部材が設けられ、競技者の服装にホルダーを取り付けて、このホルダーにボールマーカーを着脱可能に磁着させるようにしたセットとしては、特許文献１〜３に示すものが提案されている。
【０００３】
特許文献１は、永久磁石の下面を除く周囲を被磁性体のカバーで覆い、下面を磁性体製の底蓋で閉じると共に、マーカーの突起が嵌まる貫通孔をカバーと永久磁石に設けるようにしたものであるが、被磁性体のカバーが永久磁石の磁着力を弱めることになる。
【０００４】
特許文献２は、平板金属製のホルダー体に凹部を設け、この凹部に永久磁石を配位したものであり、これらの上面に装飾薄板が配位されている。そのため、永久磁石の上では、十分な磁着力を発揮するが、ホルダー体の周辺寄りでは十分な磁着力を発揮しないおそれがある。
【０００５】
特許文献３は、中空構造としたホルダーを成型し、その内部に永久磁石を設け、永久磁石の外面に、デザインを施した記章となるプレート３を設けたものであるが、永久磁石の周囲には中空部分が広がる構造となっている。そのため、この中空部分が磁気通路とならざるを得ず、これによってホルダー全体に十分な磁着力を発揮するには、よほど強力な永久磁石が必要とされる。 
【０００６】
【特許文献１】実開平３−８９６１１号公報
【特許文献２】特開２００６−１８７３５４号公報
【特許文献３】登録実用新案第３１０６６９８号公報
【考案の開示】
【考案が解決しようとする課題】
【０００７】
本願考案は、ホルダーの略全体に十分な磁着力を発揮させ、ホルダーの何処にボールマーカーが磁着しても容易に脱落することのないゴルフ用マーカーセットの提供を図ることを目的とする。特に、ホルダーよりも小さな永久磁石を用いた場合にも、ホルダーの略全体に十分な磁着力を発揮させ得るゴルフ用マーカーセットの提供を図ることを目的とする。
【課題を解決するための手段】
【０００８】
本願の請求項１に係る考案は、ボールマーカーと、このボールマーカーを磁着する永久磁石を有するホルダーとのセットであり、上記ホルダーに競技者の服装に対する固定部材が設けられ、競技者の服装にホルダーを取り付けて、このホルダーにボールマーカーを着脱可能に磁着させるようにしたゴルフ用マーカーセットにおいて、上記の永久磁石は複数個が間隔を隔てて配列され、これらの複数個の永久磁石の間に磁性体製の磁気通路が形成されたものであることを特徴とするゴルフ用マーカーセットを提供する。
本願の請求項２に係る考案は、上記のホルダーが、上記永久磁石の底面を支持する磁性体製の底部と、この底部から上方に伸びると共に上記の磁気通路となる磁性体製の縦通路部と、この縦通路部に設けられた収納凹部とを備え、この収納凹部内に上記の永久磁石が配位され、この永久磁石の上面及び上記縦通路部の上面に接触する磁性体製の蓋体とを備え、上記底部、上記縦通路部及び上記蓋体が上記永久磁石の磁気通路となるものであることを特徴とする請求項１記載のゴルフ用マーカーセットを提供する。
本願の請求項３に係る考案は、上記の永久磁石は複数個が間隔を隔てて配列され、この永久磁石の数と上記の収納凹部の数とは等しく、各収納凹部の平面形状及び面積は上記の各永久磁石の平面形状及び面積に実質的に等しいことを特徴とする請求項２記載のゴルフ用マーカーセットを提供する。
本願の請求項４に係る考案は、上記の磁性体製の底部と、上記の縦通路部とが一体となされたものであり、前記の固定部材は、平板部と、この平板部から下方に延設された挟持部とが一体となされたものであり、挟持部を弾性変形させて挟持部と平板部との間に服装を挟んで固定するものであり、上記の平板部の上面と上記の底部の下面とが接合されたものであることを特徴とする請求項３記載のゴルフ用マーカーセットを提供する。
本願の請求項５に係る考案は、上記の蓋体が、磁性体製の蓋本体と、この蓋本体の上面に接着されたシールとを備えことを特徴とする請求項４記載のゴルフ用マーカーセットを提供する。
本願の請求項６に係る考案は、上記の蓋体が、磁性体製の蓋本体を備え、この蓋本体にプレス加工によって凹凸模様が形成されたものであることを特徴とする請求項４記載のゴルフ用マーカーセットを提供する。
本願の請求項７に係る考案は、上記の縦通路部は、蓋体が載置される上面と、この上面の周囲から上方に延設され縦通路部の外周を規定する周縁部とを備え、この周縁部内に上記蓋体が配位され、この周縁部の内側の蓋体上に透明合成樹脂が流し込まれて、この透明合成樹脂によって蓋体上面が被覆されたものであることを特徴とする請求項５又は６記載のゴルフ用マーカーセットを提供する。
【考案の効果】
【０００９】
本願考案は、永久磁石は複数個が間隔を隔てて配列され、これらの複数個の永久磁石の間に磁性体製の磁気通路が形成されたため、ホルダーよりも小さな永久磁石を用いた場合にも、より広い範囲に渡って十分な磁着力を発揮させることができる。
特に、本願の請求項２に係る考案のように、底部、縦通路部及び蓋体が上記永久磁石の磁気通路となるようにすることによって、強い磁着力を広い範囲に渡って発揮させることができる。
本願の請求項３に係る考案は、上記の永久磁石は複数個が間隔を隔てて配列され、この永久磁石の数と上記の収納凹部の数とは等しく、各収納凹部の平面形状及び面積は上記の各永久磁石の平面形状及び面積に実質的に等しいことにより、上記作用効果をより確実に発揮させることができる。
本願の請求項４に係る考案は、上記の磁性体製の底部と縦通路部とが一体となされるのに対して、これらの部材と、固定部材とは別体で製造される。そのため、固定部材には良好な弾性を考慮してバネ材を用いるなど、磁着とは無関係に、挟持固定のために最適な材料を用いることができる。
本願の請求項５に係る考案は、蓋本体の上面に接着されたシールによって、手軽にマーカーセットの美感を向上させることができ、本願の請求項６に係る考案は、プレス加工の凹凸模様によって、立体感や高級感のあふれた装飾が可能となる。さらに本願の請求項７に係る考案は、周縁部の内側の蓋体上に透明合成樹脂が流し込まれて、この透明合成樹脂によって蓋体上面が被覆されたことにより、良好な樹脂被覆が可能となり、より高級感あるゴルフ用マーカーセットを提供することができたものである。
【考案を実施するための最良の形態】
【００１０】
以下、図面に基づき本願考案の実施の形態を説明する。
図１（Ａ）は本願考案の一実施の形態に係るホルダーの斜視図であり、（Ｂ）と同ボールマーカーの斜視図であり、（Ｃ）は他の実施の形態に係るホルダーの斜視図である。図２は同ホルダーの分解図である。図３（Ａ）は一実施の形態に係るゴルフ用マーカーセットの側面図であり、（Ｂ）は同ホルダーの断面図である。
【００１１】
この実施の形態に係るゴルフ用マーカーセットは、ボールマーカー１１と、このボールマーカー１１を磁着する永久磁石を有するホルダー１２とのセットである。ボールマーカー１１は、鉄等の磁性体（強磁性体、以下同じ）製であり、円盤状等の適宜形状をなす。ボールマーカー１１の下面は、特にホルダー１２と磁着するため、磁性体が露出していることが好ましいが、薄い樹脂皮膜や塗料やメッキなどが施されているものであってもよい。ボールマーカー１１に永久磁石を配置した場合、グリーン上に置いた場合に、土中の砂鉄などを磁着してしまい、汚れた印象を与える。そのため、ボールマーカー１１には永久永久磁石を用いないで、ホルダー１２側のみに永久磁石を配置することが好ましいが、これに限るものではない。
【００１２】
ホルダー１２は、競技者の服装（帽子やズボンやベルト等）に取り付けて使用され、このホルダー１２にボールマーカー１１が着脱可能に磁着するようにしたものである。
ボールマーカー１１は、ホルダーの本体２５と、この本体２５の下部に設けられた固定部材２１と、本体２５内に配位された２個の永久磁石３１と、固定部材２１の上面に配置される蓋体３３とを備える。このうち、固定部材２１は良好な弾性変形をなすリン青銅であり、本体２５と蓋体３３とは鉄等の磁性体製である。
【００１３】
本体２５は、平面視において、左右両辺が半円弧状をなす横長の略四角形状であるが、この平面形状は、楕円形や円形や多角形の他、マンガのキャラクターを模すなど、適宜適宜変更して実施できる。
この本体２５は、永久磁石３１の底面を支持する底部２６と、この底部２６から上方に伸びると共に永久磁石３１の磁気通路となる縦通路部２７と、この縦通路部２７に設けられた収納凹部２８とを備える。この収納凹部２８は、永久磁石３１と略同一の平面形状で同じ大きさをなしている。この収納凹部２８は、永久磁石３１の数に合わせて２個設けられており、その間に縦通路部２７が配位される。この例では、本体２５に有底の収納凹部２８を２個設けて、収納凹部２８の周囲全体を縦通路部２７とすると共に、底部２６を一体形成したものであるが、本体２５に収納凹部２８を貫通した穴として形成し、底部２６を金属板体などで別体に形成して、本体２５と底部２６とを後に接合して一体となしたものでもよい。永久磁石の数は、２個以上、３個、４個など、ホルダー１２の大きさに応じて適宜変更して実施し得る。
【００１４】
次に、蓋体３３は、この本体２５の上面に装着されるものであり、永久磁石３１の上面と縦通路部２７の上面とに接触する。これによって、底部２６、縦通路部２７及び蓋体３３からなる磁性体によって、永久磁石３１の磁気通路が形成される。特に、複数個の永久磁石３１の間に配位された縦通路部２７によって、両永久磁石３１に共用される磁気通路が形成されるため、強い磁着力が得られると共に、本体２５全体を永久磁石としなくても、本体２５全体に渡って効率的な磁着効果を発揮させることができる。
【００１５】
この蓋体３３は、プレス加工などによって凹凸３４を表面に形成して、模様や文字を表示してもよく、平板状の蓋体３３の上にシール３５を貼り付けて模様や文字を表示してもよく、またペイントや印刷等を施してもよい。さらに、この例では、縦通路部２７には、蓋体３３が載置される上面の周囲に、上方に延設され縦通路部２７の外周を規定する周縁部２９が形成されている。この周縁部２９の内側に蓋体３３が配位され、その上面にエポキシ樹脂等の透明合成樹脂が流し込まれて固化することによって、蓋体３３上面が被覆され、本体２５との一体性が強化されている。
なお、ボールマーカー１１の上面についても、塗装、シールの貼りつけや、透明合成樹脂による被覆などを行ってもよい。
【００１６】
固定部材２１は、上記の本体２５を装身具に取り付けるためのもので、前述のように、リン青銅などのバネ材を用いることが好ましい。この例では、本体２５の下面と接着される平板部２２と、平板部２２の周縁から湾曲して下方に伸びる挟持部２３とを備え、平板部２２と挟持部２３との間に、競技者の服装（帽子やズボンやベルト等）が挟まれて、固定される。なお、このような弾性変形するものの他、ピン、ネジ、ホックなどの他の固定手段を用いることもできる。さらに、前述の本体２５に直接固定手段を形成するようにしてもよい。
【図面の簡単な説明】
【００１７】
【図１】（Ａ）は本願考案の一実施の形態に係るホルダーの斜視図であり、（Ｂ）と同ボールマーカーの斜視図であり、（Ｃ）は他の実施の形態に係るホルダーの斜視図である。
【図２】同ホルダーの分解図である。
【図３】（Ａ）は一実施の形態に係るゴルフ用マーカーセットの側面図であり、（Ｂ）は同ホルダーの断面図である。
【符号の説明】
【００１８】
１１  ボールマーカー
１２  ホルダー
２１  固定部材
２２  平板部
２３  挟持部
２５  本体
２６  底部
２７  縦通路部
２８  収納凹部
２９  周縁部
３１  永久磁石
３３  蓋体
３４  凹凸
３５  シール
３７  透明合成樹脂
【図１】
0003152787.tif 000003
【図２】
0003152787.tif 000004
【図３】
0003152787.tif 000005